(57)【要約】      （修正有）【課題】家具や床やカーペットなどを濡らしたり汚したりしないのみならず、照明器具においてショートや漏電が発生したり電球の口金やソケットなどの金属部分が錆びたりすることがない岩塩ランプを提供する。【解決手段】岩塩ランプ１０は、台座２０と、台座２０の上面に固定されるものであって岩塩の塊をくり抜いて作られる岩塩傘３０と、岩塩傘３０のくり抜き部内に設けられる照明器具とを備える。台座２０の上面は、岩塩傘３０の下面よりも大径とされる。台座２０の上面に、岩塩傘３０の下面が固定される設置部２１と、設置部２１の周囲に環状に形成されるものであって岩塩傘３０を構成する岩塩が潮解したときに岩塩傘３０の表面に生じる水滴を受け止めて貯留するための環状凹部２２とを設ける。【選択図】図１
0003146860.tif 000002
【実用新案登録請求の範囲】
【請求項１】
台座と、
この台座の上面に固定されるものであって岩塩の塊をくり抜いて作られる岩塩傘と、
この岩塩傘のくり抜き部内に設けられる照明器具とを備え、
台座の上面は、岩塩傘の下面よりも大径とされ、
台座の上面には、
岩塩傘の下面が固定される設置部と、
この設置部の周囲に環状に形成されるものであって岩塩傘を構成する岩塩が潮解したときに岩塩傘の表面に生じる水滴を受け止めて貯留するための環状凹部と、
が設けられていることを特徴とする岩塩ランプ。
【請求項２】
台座の設置部には、台座を上下に貫通する貫通孔が設けられ、
岩塩傘のくり抜き部は、台座の貫通孔と連通しており、
照明器具は、台座の貫通孔から岩塩傘のくり抜き部内に挿入されて係止され、
環状凹部は、外周側よりも設置部側の方が、縁の高さが高く形成されていることを特徴とする請求項１記載の岩塩ランプ。
【請求項３】
環状凹部の外周側の縁は、台座の外周と滑らかに連続するように形成され、
環状凹部の底面は、台座の外周から中心へ向かうに従って高さが次第に低くなるように滑らかに傾斜していることを特徴とする請求項１または２記載の岩塩ランプ。
【考案の詳細な説明】
【技術分野】
【０００１】
本考案は、岩塩ランプに関し、さらに詳しくは、岩塩が潮解したときに生じる水滴を台座で受け止めるようにした岩塩ランプに関する。
【背景技術】
【０００２】
岩塩の塊をくり抜き、その中に電球を組み込んだ「岩塩ランプ」が近年ブームとなっている。この岩塩ランプは、神秘的な光を放つ上に、マイナスイオンを発生することから、癒し効果を発揮する商品として人気を集めている。
なお、本件出願人は、２００８年９月１７日に、特許電子図書館（ＩＰＤＬ）の特許・実用新案の公報テキスト検索にて、公報種別を「公開特許公報」および「公開実用新案公報」とし、検索項目を「公報全文（書誌を除く）」とし、検索キーワードを「岩塩」ＡＮＤ「（ランプ）ＯＲ（照明）」として、岩塩ランプの先行技術調査を行った。その結果、３４９件がヒットしたが、その中に本考案に関連する先行技術はなかった。
【考案の開示】
【考案が解決しようとする課題】
【０００３】
ところで、岩塩は、湿度が７０％程度を超えると潮解する。つまり、岩塩は、湿度が７０％程度を超えると、大気中の水分を吸収して溶解する。このため、湿度が７０％程度を超える環境下に岩塩ランプをさらすと、岩塩傘を構成する岩塩が潮解して、岩塩傘の表面に水滴が生じる。そして、この水滴は、やがて岩塩傘の表面を伝わって滴り落ちる。
しかし、従来の岩塩ランプでは、台座の上面の直径が、岩塩傘の下面の直径と同程度であった。このため、岩塩傘の表面から滴り落ちた水滴が、台座で受け止められることなく滴り落ちて、家具や床やカーペットなどを濡らしたり汚したりしてしまうことがあった。さらに、岩塩傘の表面から滴り落ちた水滴は、高濃度の塩水であるが、この高濃度の塩水が、台座と岩塩傘との間の隙間などを通って照明器具まで伝っていくこともあり、そうすると、照明器具においてショートや漏電が発生したり、また、電球の口金やソケットなどの金属部分が錆びてしまうこともあった。
【０００４】
そこで、本考案は、岩塩傘を構成する岩塩が潮解したときに生じる水滴を台座で受け止めて貯留することにより、家具や床やカーペットなどを濡らしたり汚したりしないようにするとともに、照明器具においてショートや漏電が発生したり電球の口金やソケットなどの金属部分が錆びたりすることがないようにして、安全性および耐久性を高めた岩塩ランプを提供することを目的とする。
【課題を解決するための手段】
【０００５】
（請求項１）
請求項１記載の考案は、岩塩ランプ10に係るものであって、台座20と、この台座20の上面に固定されるものであって岩塩の塊をくり抜いて作られる岩塩傘30と、この岩塩傘30のくり抜き部31内に設けられる照明器具40とを備え、台座20の上面は、岩塩傘30の下面よりも大径とされ、台座20の上面には、岩塩傘30の下面が固定される設置部21と、この設置部21の周囲に環状に形成されるものであって岩塩傘30を構成する岩塩が潮解したときに岩塩傘30の表面に生じる水滴を受け止めて貯留するための環状凹部22と、が設けられていることを特徴とする。
【０００６】
（請求項２）
請求項２記載の考案は、請求項１記載の岩塩ランプ10を限定したものであって、台座20の設置部21には、台座20を上下に貫通する貫通孔26が設けられ、岩塩傘30のくり抜き部31は、台座20の貫通孔26と連通しており、照明器具40は、台座20の貫通孔26から岩塩傘30のくり抜き部31内に挿入されて係止され、環状凹部22は、外周側よりも設置部21側の方が、縁の高さが高く形成されていることを特徴とする。
（請求項３）
請求項３記載の考案は、請求項１または２記載の岩塩ランプ10を限定したものであって、環状凹部22の外周側の縁は、台座20の外周と滑らかに連続するように形成され、環状凹部22の底面は、台座20の外周から中心へ向かうに従って高さが次第に低くなるように滑らかに傾斜していることを特徴とする。
【０００７】
ここで、「台座20」は、岩塩ランプ10の土台となるものである。また、台座20の材質は、例えば、「木」とすることができるが、木に限られるものではなく、例えば、オニキスや大理石などの「石」とすることもできる。また、台座20の形状は、例えば、平面視で、「円形」とすることができるが、円形に限られるものではなく、例えば、「楕円形」とすることもできるし、また、「三角形」とすることもできるし、また、「四角形」とすることもできるし、また、それ以上の「多角形」とすることもできる。また、台座20の上面は、岩塩傘30の下面よりも大径とされている。つまり、台座20の上面の直径は、岩塩傘30の下面の直径よりも大きい。
【０００８】
また、「設置部21」は、岩塩傘30の下面が固定される部分である。また、設置部21は、台座20の上面の所定位置（例えば、中央）に設けられる。また、設置部21の上面は、例えば、平坦に形成される。また、設置部21の直径は、例えば、岩塩傘30の下面の直径とほぼ等しくされる。そして、設置部21の上面と岩塩傘30の下面とを合わせ、例えば、台座20の下面側から岩塩傘30へ向けてビス27を打ち込むことにより、岩塩傘30の下面に台座20を固定することができる。
また、「貫通孔26」は、岩塩傘30のくり抜き部31内に照明装置を設ける際に照明器具40が通される孔である。また、貫通孔26は、台座20の設置部21の所定位置（例えば、中央）に設けられる。また、貫通孔26は、台座20を上下に貫通するように形成される。また、貫通孔26は、岩塩傘30のくり抜き部31と連通するものとされる。そして、照明器具40は、貫通孔26を通して、岩塩傘30のくり抜き部31内に挿入されて係止される。また、貫通孔26の内径は、例えば、岩塩傘30のくり抜き部31の内径とほぼ等しくされる。
【０００９】
また、「環状凹部22」は、岩塩傘30を構成する岩塩が潮解したときに岩塩傘30の表面に生じる水滴を受け止めて貯留するための凹部である。また、環状凹部22は、設置部21の周囲に環状に形成される。つまり、環状凹部22は、設置部21の周囲を取り囲むように形成される。逆に言えば、台座20の上面に環状凹部22が設けられ、この環状凹部22の内側が設置部21とされる。そして、上述したように、設置部21の直径は、岩塩傘30の下面の直径とほぼ等しくされる。このため、台座20の直径は、環状凹部22の幅の分だけ、岩塩傘30の下面の直径よりも大きい。つまり、台座20の上面における、環状凹部22を設けた部分は、岩塩傘30の下面の外周よりも外側に、鍔状あるいはフランジ状に突出する。また、環状凹部22は、外周側よりも設置部21側の方が、縁の高さが高く形成される。また、環状凹部22の外周側の縁は、台座20の外周と滑らかに連続するように形成される。さらに、環状凹部22の底面は、台座20の外周から中心へ向かうに従って高さが次第に低くなるように滑らかに傾斜するように形成される。つまり、環状凹部22の底面は、すり鉢状に傾斜するように形成される。
【００１０】
また、「岩塩傘30」は、岩塩の塊をくり抜いて作られる傘である。岩塩の塊の一部が平坦に切削され、そこが「下面」とされる。そして、下面のほぼ中央から岩塩の塊の中心へ向けてくり抜くようにして穴があけられ、この穴が「くり抜き部31」とされる。
また、「照明器具40」は、岩塩傘30のくり抜き部31内に設けられるものである。また、照明器具40は、例えば、電球41と、電球41を保持するソケット42と、ソケット42に電気を供給する電気コード43と、電気コード43の途中に設けたスイッチ44と、電気コード43におけるソケット42とは反対側の端部に設けた差込プラグ45とを備える。また、ソケット42には、例えば、ソケット42を岩塩傘30のくり抜き部31内に係止させるための係止金具46が設けることができる。そして、係止金具46を指でつまんで幅を狭め、その状態で台座20の貫通孔26から岩塩傘30のくり抜き部31内に電球41およびソケット42を挿入し、その後に係止金具46から指を離す。そうすると、係止金具46が広がって岩塩傘30のくり抜き部31の内周面に圧接し、ソケット42が係止される。
【考案の効果】
【００１１】
本考案によれば、台座の上面に環状凹部を設けるとともに、その内側に設置部を設けて、設置部に岩塩傘の下面を固定するようにしたことから、岩塩傘を構成する岩塩が潮解したときに生じる水滴が、環状凹部で受け止められて貯留される。このため、家具や床やカーペットなどを濡らしたり汚したりしないようにことができるのみならず、照明器具においてショートや漏電が発生したり電球の口金やソケットなどの金属部分が錆びたりすることがないようにすることができ、ひいては安全性および耐久性が高い岩塩ランプを提供することができる。
また、本考案によれば、外周側よりも設置部側の方が縁の高さが高くなるように環状凹部を形成したことから、仮に水滴が環状凹部から溢れたとしても、高さが低い外周側から溢れ出すこととなる。このため、水滴が台座の設置部と岩塩傘との間の隙間を通って照明器具まで伝わることもないので、照明器具においてショートや漏電が発生したり電球の口金やソケットなどの金属部分が錆びたりすることを、より確実に防止できる岩塩ランプを提供することができる。
【００１２】
さらに、本考案によれば、環状凹部の外周側の縁と台座の外周とが滑らかに連続するように形成するとともに、台座の外周から中心へ向かうに従って高さが次第に低くなるように滑らかに傾斜するように環状凹部の底面を形成したことから、仮に環状凹部に埃が積もってしまったとしても、その埃を取り除きやすい岩塩ランプを提供することができる。
【考案を実施するための最良の形態】
【００１３】
（図面の説明）
図１ないし図１１は、本考案の実施の形態を示すものである。
図１は、岩塩ランプ10の斜視図、図２は、岩塩ランプ10の要部拡大斜視図、図３は、台座20の正面図、図４は、台座20の上面側斜視図、図５は、台座20の下面側斜視図、図６は、岩塩傘30の下面側斜視図、図７は、岩塩傘30の下面に台座20を固定した状態の斜視図、図８は、照明器具40の斜視図、図９ないし図１１は、照明器具40の装着方法を示す斜視図である。
（岩塩ランプ10）
図１ないし図１１に示すように、本実施の形態に係る岩塩ランプ10は、台座20と、この台座20の上面に固定されるものであって岩塩の塊をくり抜いて作られる岩塩傘30と、この岩塩傘30のくり抜き部31内に設けられる照明器具40とを備えている。
【００１４】
また、台座20の上面は、岩塩傘30の下面よりも大径とされている。
また、台座20の上面には、岩塩傘30の下面が固定される設置部21と、この設置部21の周囲に環状に形成されるものであって岩塩傘30を構成する岩塩が潮解したときに岩塩傘30の表面に生じる水滴を受け止めて貯留するための環状凹部22とが設けられている。
また、台座20の設置部21には、台座20を上下に貫通する貫通孔26が設けられている。
また、岩塩傘30のくり抜き部31は、台座20の貫通孔26と連通している。
また、照明器具40は、台座20の貫通孔26から岩塩傘30のくり抜き部31内に挿入されて係止されるようになっている。
【００１５】
また、環状凹部22は、外周側よりも設置部21側の方が、縁の高さが高く形成されている。
また、環状凹部22の外周側の縁は、台座20の外周と滑らかに連続するように形成されている。
また、環状凹部22の底面は、台座20の外周から中心へ向かうに従って高さが次第に低くなるように滑らかに傾斜している。
以下、本実施の形態に係る岩塩ランプ10の各構成について、さらに詳しく説明する。
（台座20）
台座20は、岩塩ランプ10の土台となるものである。
【００１６】
図１ないし図５に示すように、本実施の形態では、台座20は、円盤状に形成されている。つまり、本実施の形態では、台座20は、平面視で円形とされている。
また、本実施の形態では、台座20の材質は、木とされている。
また、台座20の上面は、岩塩傘30の下面よりも大径とされている。つまり、台座20の上面の直径は、岩塩傘30の下面の直径よりも大きい。
また、台座20の上面中央には、設置部21が設けられ、また、台座20の上面における設置部21の周囲には、環状凹部22が設けられている。
また、台座20の下面中央には、円形凹部23が設けられ、また、台座20の下面における円形凹部23の周囲は、接地部24とされている。また、接地部24には、３本のコード通し溝25が放射状に設けられている。
【００１７】
また、台座20の中心には、台座20を上下に貫通する貫通孔26が設けられている。
（設置部21）
設置部21は、岩塩傘30の下面が固定される部分である。
図３および図４に示すように、本実施の形態では、設置部21は、台座20の上面中央に設けられている。
また、本実施の形態では、設置部21は、平面視で円形に形成されている。
また、本実施の形態では、設置部21の上面は、平坦に形成されている。
また、本実施の形態では、設置部21の直径は、岩塩傘30の下面の直径とほぼ等しい。
【００１８】
（環状凹部22）
環状凹部22は、岩塩傘30を構成する岩塩が潮解したときに岩塩傘30の表面に生じる水滴を受け止めて貯留するための凹部である。
図１、図２および図４に示すように、環状凹部22は、設置部21の周囲に環状に形成されている。つまり、環状凹部22は、設置部21の周囲を取り囲むように形成されている。逆に言えば、台座20の上面に環状凹部22が設けられ、この環状凹部22の内側が設置部21とされている。
また、本実施の形態では、環状凹部22は、平面視で円形に形成されている。
【００１９】
また、上述したように、設置部21の直径は、岩塩傘30の下面の直径とほぼ等しい。このため、台座20の直径は、環状凹部22の幅の分だけ、岩塩傘30の下面の直径よりも大きい。つまり、台座20の上面における、環状凹部22を設けた部分は、岩塩傘30の下面の外周よりも外側に、鍔状あるいはフランジ状に突出している。
また、図３に示すように、本実施の形態では、環状凹部22は、外周側よりも設置部21側の方が、縁の高さが高い。つまり、本実施の形態では、設置部21の上面は、環状凹部22の外周側の縁の上端よりも、高さが高い。逆に言えば、本実施の形態では、環状凹部22の外周側の縁の上端は、設置部21の上面よりも、高さが低い。このように、本実施の形態では、設置部21の上面は、台座20の上面の中で、最も高さが高い。
【００２０】
また、図１ないし図４に示すように、本実施の形態では、環状凹部22の外周側の縁は、台座20の外周と滑らかに連続するように形成されている。
さらに、図１、図２および図４に示すように、環状凹部22の底面は、台座20の外周から中心へ向かうに従って高さが次第に低くなるように滑らかに傾斜するように形成されている。つまり、本実施の形態では、環状凹部22の底面は、すり鉢状に傾斜するように形成されている。
（貫通孔26）
貫通孔26は、岩塩傘30のくり抜き部31内に照明装置を設ける際に照明器具40が通される孔である。
【００２１】
図４および図５に示すように、本実施の形態では、貫通孔26は、台座20の中央に設けられており、台座20を上下に貫通している。より具体的には、貫通孔26は、設置部21および円形凹部23の位置に設けられており、台座20の上面から下面まで貫通している。
また、本実施の形態では、貫通孔26は、円形とされている。
（岩塩傘30）
岩塩傘30は、岩塩の塊をくり抜いて作られる傘である。
図６に示すように、岩塩の塊の一部が平坦に切削され、そこが下面とされる。そして、下面のほぼ中央から岩塩の塊の中心へ向けてくり抜くようにして穴があけられ、この穴がくり抜き部31とされる。
【００２２】
また、岩塩傘30のくり抜き部31の内径は、貫通孔26の内径とほぼ等しくされる。
（台座20と岩塩傘30との固定）
台座20の設置部21の上面と岩塩傘30の下面とを合わせる。このとき、台座20の貫通孔26の位置と、岩塩傘30のくり抜き部31の位置とを一致させる。これにより、台座20の貫通孔26と岩塩傘30のくり抜き部31とを連通させる。そして、この状態で、図７に示すように、台座20の下面の円形凹部23において、岩塩傘30へ向けてビス27を打ち込む。このようにして、岩塩傘30の下面に台座20を固定する。
【００２３】
（照明器具40）
照明器具40は、岩塩傘30のくり抜き部31内に設けられるものである。
図８に示すように、本実施の形態では、照明器具40は、電球41と、電球41を保持するソケット42と、ソケット42に電気を供給する電気コード43と、電気コード43の途中に設けたスイッチ44と、電気コード43におけるソケット42とは反対側の端部に設けた差込プラグ45とを備えている。
また、ソケット42には、ソケット42を岩塩傘30のくり抜き部31内に係止させるための係止金具46が設けられている。
【００２４】
また、係止金具46は、ソケット42に固定される固定部47と、固定部47の両側から突出する２つの係止バネ48とを備えている。
また、各係止バネ48は、常態では、ソケット42の外周面に対して４５度程度の角度をなすように傾斜しており、両係止バネ48を指でつまむと、両係止バネ48の間隔が狭まり、両係止バネ48から指を離すと、元の傾斜角度に戻る。
（照明器具40の装着）
図９ないし図１１は、照明器具40の装着方法を示すものである。
まず、係止金具46の両係止バネ48を指でつまみ、両係止バネ48の間隔を狭め、その状態で台座20の貫通孔26から岩塩傘30のくり抜き部31内に電球41およびソケット42を挿入し、その後に係止金具46の両係止バネ48から指を離す。そうすると、係止金具46の両係止バネ48が元の傾斜角度に戻って、岩塩傘30のくり抜き部31の内周面に圧接する。これにより、ソケット42が係止される。
【００２５】
（作用・効果）
本実施の形態では、台座20の上面に環状凹部22を設けるとともに、その内側に設置部21を設けて、設置部21に岩塩傘30の下面を固定するようにしたことから、岩塩傘30を構成する岩塩が潮解したときに生じる水滴が、環状凹部22で受け止められて貯留される。
このため、家具や床やカーペットなどを濡らしたり汚したりしないようにことができるのみならず、照明器具40においてショートや漏電が発生したり電球41の口金やソケット42などの金属部分が錆びたりすることがないようにすることができ、ひいては安全性および耐久性を高めることができる。
【００２６】
また、本実施の形態では、外周側よりも設置部21側の方が縁の高さが高くなるように環状凹部22を形成したことから、仮に水滴が環状凹部22から溢れたとしても、高さが低い外周側から溢れ出すこととなる。このため、水滴が、環状凹部22内に溜まっているときはもちろんのこと、環状凹部22から溢れ出したとしても、台座20の設置部21と岩塩傘30との間の隙間を通って照明器具40まで伝わることもないので、照明器具40においてショートや漏電が発生したり電球41の口金やソケット42などの金属部分が錆びたりすることを、より確実に防止できる。
さらに、本実施の形態では、環状凹部22の外周側の縁と台座20の外周とが滑らかに連続するように形成するとともに、台座20の外周から中心へ向かうに従って高さが次第に低くなるように滑らかに傾斜するように環状凹部22の底面を形成したことから、仮に環状凹部22に埃が積もってしまったとしても、その埃を取り除きやすい。
【００２７】
（変形例）
なお、本実施の形態では、台座20の材質は、木としたが、木に限られるものではなく、例えば、オニキスや大理石などの石とすることもできる。
また、本実施の形態では、台座20の形状は、平面視で、円形としたが、円形に限られるものではなく、例えば、楕円形とすることもできるし、また、三角形とすることもできるし、また、四角形とすることもできるし、また、それ以上の多角形とすることもできる。
【図面の簡単な説明】
【００２８】
【図１】本考案の実施の形態に係る岩塩ランプの斜視図。
【図２】本考案の実施の形態に係る岩塩ランプの要部拡大斜視図。
【図３】本考案の実施の形態に係る岩塩ランプの台座の正面図。
【図４】本考案の実施の形態に係る岩塩ランプの台座の上面側斜視図。
【図５】本考案の実施の形態に係る岩塩ランプの台座の下面側斜視図。
【図６】本考案の実施の形態に係る岩塩ランプの岩塩傘の下面側斜視図。
【図７】本考案の実施の形態に係る岩塩ランプの岩塩傘および台座の下面側斜視図。
【図８】本考案の実施の形態に係る岩塩ランプの照明器具の斜視図。
【図９】本考案の実施の形態に係る岩塩ランプの照明器具の装着方法を示す斜視図。
【図１０】本考案の実施の形態に係る岩塩ランプの照明器具の装着方法を示す斜視図。
【図１１】本考案の実施の形態に係る岩塩ランプの照明器具の装着方法を示す斜視図。
【符号の説明】
【００２９】
10  岩塩ランプ                    20  台座
21  設置部                        22  環状凹部
23  円形凹部                      24  接地部
25  コード通し溝                  26  貫通孔
27  ビス                          30  岩塩傘
31  くり抜き部                    40  照明器具
41  電球                          42  ソケット
43  電気コード                    44  スイッチ
45  差込プラグ                    46  係止金具
47  固定部                        48  係止バネ
【図１】
0003146860.tif 000003
【図２】
0003146860.tif 000004
【図３】
0003146860.tif 000005
【図４】
0003146860.tif 000006
【図５】
0003146860.tif 000007
【図６】
0003146860.tif 000008
【図７】
0003146860.tif 000009
【図８】
0003146860.tif 000010
【図９】
0003146860.tif 000011
【図１０】
0003146860.tif 000012
【図１１】
0003146860.tif 000013